(57)【要約】【課題】  お守り等を車内に取り付けたときに、長きに亘って使用しても型くずれするのを防止し、水引を様々な形状として購買意欲を高めることを可能にするお守り用房飾りを提供する。【解決手段】  お守り用の房飾り10は、お守り50に直接又はお守り50を入れた透明な袋に取り付けられる飾り物である房飾り10であって、前記お守り50又は前記透明袋の下方に取り付けられて結び紐で形成する揚げ巻部20と、揚げ巻部20の下方に垂れるように取り付けられる垂れ房とした房部40と、を備え、結び紐で形成される揚げ巻部20が水引21で形成されている。【選択図】    図１
0003177396.tif 000002
【実用新案登録請求の範囲】
【請求項１】
お守りに直接、又はお守りを入れた透明な袋に取り付けられる飾り物であるお守り用の房飾りであって、
前記お守り又は袋の下方に取り付けられて結び紐で形成する揚げ巻部と、
前記揚げ巻部の下方に垂れるように取り付けられる垂れ房とした房部と、
を備え、
前記結び紐で形成される揚げ巻部が、水引で形成されていることを特徴とするお守り用房飾り。
【請求項２】
前記揚げ巻部は、水引がハート結び、梅結び、円結び、几帳結び、又は、淡路結びにより形成されていることを特徴とする請求項１に記載のお守り用房飾り。
【請求項３】
前記揚げ巻部が２本の水引を並べて結束されていることを特徴とする請求項１又は請求項２に記載のお守り用房飾り。
【請求項４】
前記房部が一本の結束された垂れ房であることを特徴とする請求項１乃至請求項３の何れかに記載のお守り用房飾り。
【考案の詳細な説明】
【技術分野】
【０００１】
本考案は、型くずれを防止したお守り用房飾りに関する。
【背景技術】
【０００２】
従来、お守りには神社等の御神体を表示した御礼等を房飾り付きのお守り袋に入れたり、直接御礼等に房飾りを付けたりするものが一般的である。そして、房飾りは、揚げ巻き部と、房部とを備えたものである。
【０００３】
そして、揚げ巻部71は、従来、繊維を撚り合わせて太くした八ツ打紐60で生成されており、図６に示すように、八ツ打紐60により揚げ巻き結び35を行って形成しているものである。また、最近では、図７に示すように、揚げ巻部72として、繊維状の八ツ打紐60と金唐紐61とを合せることにより紐自体に腰を持たせるように生成し、揚げ巻き結び35を行って形成しているものもある。
【０００４】
また、下記の特許文献１には、乗用車などの車内等、様々な場所でお守り用房飾りとして使用され、房部分を内部に配置したＬＥＤにより発光させて楽しむことができるお守り用房飾りが提案されている。
【先行技術文献】
【特許文献】
【０００５】
【特許文献１】実用新案登録第３０５７２１０号公報
【考案の概要】
【考案が解決しようとする課題】
【０００６】
しかしながら、繊維を撚り合わせて太くした八ツ打紐による揚げ巻き結びを行った揚げ巻部は、紐自体の腰が弱いために経時変化でよれよれとなると見難いものであった。また、繊維状の八ツ打紐と金唐紐とを合せて紐自体に腰を持たせるように生成した揚げ巻き部の場合には、型くずれが少なく頑丈なものではあるが、部品コスト高であるとともに、紐全体が太くなってしまい、製作可能な結び方に限界があった。
【０００７】
また、特許文献１に示すお守り用の房飾りは、房部分に発光機能を有して、夜間でもお守りの存在を確認することができるが、電源を必要とすることからコードの配線が必要となり、設置の点で煩わしかった。
【０００８】
本考案は、上述したような従来技術の問題点に鑑みてなされたものであり、お守り等を車内に取り付けたときに、長きに亘って使用しても型くずれするのを防止し、水引の特性を活かし様々な形状として購買意欲を高めることを可能にするお守り用房飾りを提供することを目的としている。
【課題を解決するための手段】
【０００９】
本考案のお守り用房飾りは、お守りに直接、又はお守りを入れた透明な袋に取り付けられる飾り物であるお守り用房飾りであって、前記お守り又は前記袋の下方に取り付けられて結び紐で形成する揚げ巻部と、前記揚げ巻部の下方に垂れるように取り付けられる垂れ房である房部と、を備え、前記結び紐で形成される揚げ巻部が水引で形成されていることを特徴とする。
【００１０】
さらに、本考案のお守り用房飾りは、前記揚げ巻部が前記水引をハート結び、梅結び、円結び、几帳結び、又は、淡路結びにより形成されていることを特徴とする。
【００１１】
また、本考案のお守り用房飾りは、前記揚げ巻部が２本の水引を並べて結束されていることを特徴とする。
【００１２】
そして、本考案のお守り用房飾りは、前記垂れ房とした房部が一本の結束された房であることを特徴とする。
【考案の効果】
【００１３】
本考案によれば、お守り等を車内に取り付けたときに、長きに亘って使用しても型くずれするのを防止し、水引を様々な形状の揚げ巻部とすることにより購買意欲を高めることを可能にするお守り用房飾りを提供することができる。
【００１４】
さらに、本考案によれば、揚げ巻部を形成する水引を、ハート結び、梅結び、円結び、几帳結び、又は、淡路結び等の様々な形状とすることが容易であって、単一的なものにならずレパートリーを充実させることができる。
【００１５】
また、本考案によれば、水引が２本水引であることから、紐幅が太くならずにすみ、様々な結び方を実現することができる。
【００１６】
そして、本考案によれば、垂れ房とする房部が一本の結束された房であることから、部品数を削減するとともに製造工程を削減できる。
【図面の簡単な説明】
【００１７】
【図１】本考案の実施例に係るお守り用房飾り（ハート結び）をお守りに取り付けたときの正面図である。
【図２】本考案の実施例に係るお守り用房飾りにおける揚げ巻部の水引を梅結びにしたときの正面図である。
【図３】本考案の実施例に係るお守り用房飾りにおける揚げ巻部の水引を円結びにしたときの正面図である。
【図４】本考案の実施例に係るお守り用房飾りにおける揚げ巻部の水引を几帳結びにしたときの正面図である。
【図５】本考案の実施例に係るお守り用房飾りにおける揚げ巻部の水引を淡路結びにしたときの正面図である。
【図６】従来品の八ツ打紐による組紐のお守り用房飾りの正面図である。
【図７】従来品の金唐紐を用いた組紐のお守り用房飾りの正面図である。
【考案を実施するための形態】
【００１８】
以下、本考案を実施するための形態について述べる。本考案のお守り用房飾り10は、お守り50に直接、又はお守り50を入れた透明な袋に取り付けられる飾り物であるお守り用房飾り10であって、お守り50等の下方に取り付けられて水引21により形成する揚げ巻部20と、揚げ巻部20の下方に垂れるように取り付けられる垂れ房である房部40と、を備える。
【００１９】
このお守り用房飾り10の揚げ巻部20は、水引21によりハート結び30、梅結び31、円結び32、几帳結び33、又は、淡路結び34を形成しているものである。
【００２０】
また、お守り用房飾り10は、水引21が２本の水引であることが好ましい。
【００２１】
そして、お守り用房飾り10は、房部40が一本の結束された垂れ房であることが好ましい。
【実施例１】
【００２２】
以下、本考案の実施例について図を用いて説明する。図１は本考案の実施例に係るお守り用房飾り（ハート結び）10をお守りに取り付けたときの正面図である。図２は本考案の実施例に係るお守り用房飾り10の揚げ巻部20を水引21を梅結び31として形成したときの正面図である。図３は本考案の実施例に係るお守り用房飾り10の揚げ巻部20を水引21を円結び32として形成したときの正面図である。図４は本考案の実施例に係るお守り用房飾り10の揚げ巻部20を水引21を几帳結び33として形成したときの正面図である。図５は本考案の実施例に係るお守り用房飾り10の揚げ巻部20を水引21を淡路結び34として形成したときの正面図である。
【００２３】
お守り用の房飾り10は、図１に示すように、お守り50の下方に取り付けられるものである。そして、お守り50の下方には、カン穴51が設けられており、鈴55等を取り付けたマルカン56が穴を通して取り付け可能とされている。
【００２４】
そして、お守り用の房飾り10は、そのマルカン56内部に結び紐とした水引21を挿通させて取り付けるものである。なお、お守り50の本体下方にカン穴51のような挿通穴を設けて、お守り50の挿通穴にお守り用房飾り10を結び紐で取り付ける構成としても構わない。
【００２５】
また、お守り50は透明な袋に入れ、マルカン56や結び紐により透明な袋の下にこの房飾り10を吊り下げるようにしても構わない。
【００２６】
このお守り用の房飾り10は、図１に示したように、例えば、水引21によりハート結び30に形成した揚げ巻部20と、揚げ巻部20の下方に垂れるように取り付けられる垂れ房による房部40と、を備える。
【００２７】
そして、揚げ巻部20は、贈答品や封筒に付けられる飾り紐として用いられる水引21で形成されている。そして、水引21は、和紙を縒ってコヨリ状の紐を並列に並べて形成しており、本発明では、２本水引としている。
【００２８】
このように、２本の水引21を並べて結束することにより揚げ巻部20を形成することにより、結び紐とする２本の水引21の幅を小幅として結び方の自由度を高め、お守り50よりも余り大きくならない大きさに纏めている。
【００２９】
なお、水引21は２本に限定されず、３本以上とすれば、各水引の色を変えることなどにより、一層容易に見栄えを良くすることもできる。
【００３０】
そして、揚げ巻部20における水引21の結び方としては、図１に示したようにハート結び30、図２に示すように梅結び31、図３に示すように円結び32、図４に示すように几帳結び33、図５に示すように淡路結び34、又は、揚げ巻き結び35など幅細の紐とすることにより自由度を高めて揚げ巻部20を形成することが可能である。
【００３１】
そして、揚げ巻部20の下方に位置する垂れ房は、繊維状の細紐を束ねて一本の結束された房であって、上方を取りまとめて球状にして、その球体部分の中心に水引21を上方から挿入可能な軸穴を設けている。
【００３２】
以上のように本考案によれば、お守り等を車内に取り付けたときに、長きに亘って使用しても型くずれするのを防止し、水引21を様々な形状として購買意欲を高めることを可能にするお守り用房飾り10を提供することができる。
【００３３】
さらに、本考案によれば、水引21をハート結び30、梅結び31、円結び32、几帳結び33、又は、淡路結び34等の様々な形状として製造することが容易であって、単一的なものにならずレパートリーを充実させることができる。
【００３４】
また、本考案によれば、水引21を２本水引とすることにより、様々な結び方を実現することができる。
【００３５】
そして、本考案によれば、垂れ房が一本の結束された房であることから、部品数を削減するとともに製造工程を削減できる。
【符号の説明】
【００３６】
10    お守り用房飾り
20    揚げ巻部
21    水引
30    ハート結び                        31    梅結び
32    円結び                            33    几帳結び
34    淡路結び                          35    揚げ巻き結び
40    房部
50    お守り
51    カン穴                            55    鈴
56    マルカン
60    八ツ打紐                          61    金唐紐
71,72    揚げ巻部
【図１】
0003177396.tif 000003
【図２】
0003177396.tif 000004
【図３】
0003177396.tif 000005
【図４】
0003177396.tif 000006
【図５】
0003177396.tif 000007
【図６】
0003177396.tif 000008
【図７】
0003177396.tif 000009